(57)【要約】【課題】本発明は、専用の試験モード切替スイッチを設けなくても、通常呼出と試験呼出とを確実に区別し、平常と同様、ナースコールシステムを運用しながら、看護師の業務を妨げることなく動作試験を実行できるナースコールシステムを提供することを課題とする。【解決手段】呼出ボタンの操作時間（または回数）を判別して通常呼出信号または試験呼出信号を出力できる操作状態判別手段を設け、該操作状態判別手段から出力される判定結果に応じて、前記ナースコール親機から通常呼出音または試験呼出音を区別して出力できるようにしたことを特徴とする。【選択図】図２
2007274415.tif 000002
【特許請求の範囲】
【請求項１】
ナースコール親機と個別廊下灯と病室子機とを相互に接続し、病室子機の呼出ボタンを患者が操作することにより、ナースコール親機から呼出音が鳴動するナースコールシステムにおいて、前記呼出ボタンの操作時間（操作継続時間または所定時間内における反復回数）を判別して通常呼出信号または試験呼出信号を出力できる操作状態判別手段を設け、該操作状態判別手段から出力される判定結果に応じて、前記ナースコール親機から通常呼出音または試験呼出音を区別して出力できるようにしたことを特徴とするナースコールシステム。
【請求項２】
前記操作状態判別手段は、比較基準値として、通常呼出かどうかを判別するための第１閾値と、試験呼出モードに切替えるかどうかを判別するための第２閾値とを有し、前記呼出ボタンの前記操作時間が第２閾値を越えた場合には、呼出モード切替信号を出力し、この切替信号で試験呼出モードに切替えられた状態においては、後続の前記呼出ボタンの前記操作時間が、第１閾値以内なら通常呼出信号、第１閾値を越えると試験呼出信号を出力し、他方、前記試験呼出モードに切替わる前の通常呼出モードにおいては、前記呼出ボタンの前記操作時間が第１閾値を超えていても、第２閾値以内であれば、通常の呼出信号を出力するようにしたことを特徴とする請求項１記載のナースコールシステム。
【発明の詳細な説明】
【技術分野】
【０００１】
本発明は、病室子機からナースコール親機を呼び出し、両者間で通話することのできるナースコールシステムに関するものであり、病院や福祉施設において、看護師と患者との間の連絡手段として用いられる。
【背景技術】
【０００２】
ナースコールシステムの動作試験は、通常、２人〜３人の試験員を配置し、ナースセンター側と病室側で、呼出、応答、復旧操作をし、その結果を見て正常動作か否かを確認する方法で行なわれることが多い。
【０００３】
動作試験を、大別すると２種類がある。１つは、病院の稼動開始前に実行される設置試験であり、通常は、看護師や患者が病院へ入棟する前に行なわれる。
【０００４】
他の１つは、看護師や患者が病院へ入棟し、ナースコールシステムを実際に使い出してから、半年あるいは１年の間隔をおいて定期的に実施される保守試験である。後者の動作試験すなわち保守試験は、ナースコールシステムを通常通り運用しながら、実行されることが多い。
【０００５】
特許文献１には、インターホンシステムに関し、機器の運用中に行う動作試験をターゲットにした発明が記載されている。すなわち、全アダプタに、試験呼出設定用スイッチ（呼出種別設定手段）を設けてあり、試験呼出をするときは、まず対象の病室アダプタを選択し、その試験呼出設定用スイッチを操作して試験モードに切替える。ついで、子機の呼出ボタンを操作することにより試験呼出が行なわれる。
【０００６】
具体的には、病室出入口に設置されるアダプタと、患者のベッドサイドに設置される子機との間を行き来しながら、病室毎に、試験モード切替操作と試験呼出とを順次繰り返すことになる。
【０００７】
【特許文献１】特開２００２−１６７１２号公報
【発明の開示】
【発明が解決しようとする課題】
【０００８】
本発明は、専用の試験モード切替スイッチを設けなくても、通常呼出と試験呼出とを確実に区別し、平常と同様、ナースコールシステムを運用しながら、看護師の業務を妨げることなく動作試験を実行できるナースコールシステムを提供することを課題とする。
【課題を解決するための手段】
【０００９】
本発明は、呼出ボタンの操作時間（または回数）を判別して通常呼出信号または試験呼出信号を出力できる操作状態判別手段を設け、該操作状態判別手段から出力される判定結果に応じて、前記ナースコール親機から通常呼出音または試験呼出音を区別して出力できるようにしたことを特徴とする。
【００１０】
本発明はまた、呼出ボタンの操作で試験呼出モードに切替えられた状態においては、後発の呼出ボタンの操作時間（または回数）が、第１閾値以内なら通常呼出信号、第１閾値を越えると試験呼出信号を出力し、他方、前記試験呼出モードに切替わる前の通常呼出モードにおいては、呼出ボタン操作時間（回数）が第１閾値を超えていても、第２閾値以内であれば、通常の呼出信号を出力するようにしたことを特徴とする。
【発明の効果】
【００１１】
本発明によれば、通常呼出音または試験呼出音を区別して出力できるので、看護師と試験員は、両者とも、自分が対応すべき呼出かどうかを明確に区別できる。従って、試験員が誤って患者からの呼出に応答したりする弊害を防止できる。
【００１２】
また、本発明によれば、試験呼出モードに切替わる前の通常呼出モードにおいては、通常呼出として判定される範囲に余裕があるため、患者固有の呼出操作のバラツキ特性は問題とならず、患者からの呼出が誤って試験呼出として出力されることはない。
【発明を実施するための最良の形態】
【００１３】
以下添付図面を参照して本発明の好適な実施例を説明する。
【００１４】
図１は、本発明の１実施例によるナースコールシステムの基本構成図である。
【００１５】
図において、１はナースセンターに設置されるナースコール親機、２は病室の出入り口に設置される個別廊下灯、３は患者のベッドサイドに設置される病室子機であり、相互に、有線で接続されている。
【００１６】
病室子機３の呼出ボタン４を押すと、個別廊下灯２の代表灯５および個別表示灯６が点灯、または点滅するとともに、ナースコール親機１においては、呼出音が鳴り、個別表示灯（図示せず）が点灯または点滅する。ナースコール親機１において送受器を取上げると、呼出した患者さんの病室子機３と接続され、相互に通話ができる。
【００１７】
図２は、本発明の１実施例によるナースコールシステムの回路ブロック図である。
【００１８】
図において、ナースコール親機１は、制御部７を中心に構成され、これに、個別廊下灯２とのインターフェースである通信Ｉ／Ｏ８、通話操作や選局操作に必要な操作表示部９、送受器等を含む通話制御部１０、各種の呼出音を発生する呼出音発生部１１、動作プログラムや各種のデータを記憶する記憶部１２、携帯端末制御装置やパソコン設備等との連動インターフェースとなる外部Ｉ／Ｏ１３が接続されている。
【００１９】
個別廊下灯２は、制御部１４を中心に構成され、これに、通信Ｉ／Ｏ１５、代表灯５、個別表示灯６、復旧ボタン１６がそれぞれ接続されている。通信Ｉ／Ｏ１５は、ナースコール親機１の通信Ｉ／Ｏ８に接続され、ナースコール親機１と個別廊下灯２との間で、相互に送受信データをやりとりできるようになっている。
【００２０】
１７は操作状態判別手段であり、病室子機３の呼出ボタン４は、この操作状態判別手段１７を介して、制御部１４に接続されている。
【００２１】
操作状態判別手段１７において、病室子機３の呼出ボタン４に接続される呼出検出手段１８は、カウンタ／タイマ１９を介して、入力判別手段２０に接続されている。カウンタ／タイマ１９は、呼出検出手段１８で検出された呼出操作信号の操作継続時間または所定時間内における反復回数を計測する手段であり、その計測結果を入力判別手段２０に出力する。
【００２２】
入力判別手段２０は、第１閾値および第２閾値を有する閾値記憶手段２１に接続され、カウンタ／タイマ１９から出力される計測値を、閾値記憶手段２１に記憶されている両閾値と比較し、その比較結果に応じて、適宜、通常呼出、試験呼出またはモード切替信号を出力する。
【００２３】
２２は、通常呼出信号を出力するＯＲ回路であり、その入力には、入力判別手段２０の通常呼出ラインが接続されている。また、切替回路２３を介して、判別手段２０の試験呼出ラインが接続されている。
【００２４】
切替回路２３は、入力判別手段２０から出力される試験呼出信号を、そのまま試験呼出として制御部１４に出力するか、ＯＲ回路２２へ出力するかを切替える回路である。
【００２５】
この切替回路２３は、入力判別手段２０のモード切替ラインに連なる呼出モード設定手段２４に接続され、この呼出モード設定手段２４の出力で、通常呼出モードまたは試験呼出モードのいずれかに設定される。
【００２６】
呼出モード設定手段２４は、呼出モード切替信号を送受信するための信号線ＴＸ、ＲＸで、制御部１４に接続され、制御部１４との間で、モード切替信号を送受信する。
【００２７】
次に図２、図３を参照して呼出動作を説明する。
【００２８】
図２において、病室子機３の呼出ボタン４が押されると、呼出検出手段１８で呼出信号が検出される。検出された呼出信号の継続時間または所定時間内における反復回数は、カウント／タイマ１９で計測され、計測結果は、入力判別手段２０に入力される。
【００２９】
入力判別手段２０は、カウンタ／タイマ２０からの出力値を、閾値記憶手段２１に記憶されている第１閾値および第２閾値と比較し、比較結果に応じて、通常呼出信号、試験呼出信号またはモード切替信号を出力する。
【００３０】
ＯＲ回路２２は、通常呼出信号、あるいは、切替回路２３を経た試験呼出信号のいずれか一方を受信すると、制御部１４に対して、通常呼出信号を出力する。
【００３１】
次に、入力判別手段２０からモード切替信号が出力された場合について説明する。
【００３２】
呼出モード設定手段２４は、入力判別手段２０から出力されるモード切替信号で、そのモード状態が切替わる。
【００３３】
すなわち、今、通常呼出モードにあれば、試験呼出モードに切替わる。反対に今、試験呼出モードであれば、通常呼出モードに遷移する。
【００３４】
また、呼出モード設定手段２４で呼出モードが切替わると、呼出モード切替信号が送信線ＴＸを介して、制御部１４に送信される。
【００３５】
制御部１４は、この呼出モード切替信号を受信すると、これを通信信号に変換し、通信Ｉ／Ｏを介して、ナースコール親機１へ送信する。
【００３６】
ナースコール親機１は、通信Ｉ／Ｏ８を介して呼出モード切替信号を受信すると、制御部７において、受信処理を実行し、呼出モード表示手段（図示せず）に切替えられた呼出モードを表示する。同時に、制御部７から通信Ｉ／Ｏ８を介して、全ての個別廊下灯に向けて、呼出モード切替信号を送信する。
【００３７】
各個別廊下灯２は、通信Ｉ／Ｏ１５を介して、この呼出モード切替信号を受信する。各制御部１４は、呼出モード切替信号に対応して、受信線ＲＸを介して、操作常態判別手段１７の呼出モード設定手段２４を指定された呼出モードに設定する。
【００３８】
このようにして、特定の呼出ボタン４で実行された呼出モード切替操作に連動して、全ての個別廊下灯２の呼出モード設定手段２４の呼出モードが一斉に切替えられる。
【００３９】
ところで、たとえば、呼出モード設定手段２４が試験呼出モードに切替わった場合には、これに連動して切替回路２３は試験呼出側に切替えられる。爾後、入力判別手段２０から出力される試験呼出出力は、そのまま制御部へ試験呼出として出力される。
【００４０】
この呼出動作を図３を参照して説明する。
【００４１】
図に示すように、第１閾値に比較し小さい入力信号１の場合は、通常呼出モードでも、試験呼出モードでも、通常呼出出力を発生することがわかる。
【００４２】
他方、第１閾値と第２閾値との間にある入力信号２の信号の場合には、通常呼出モードにおいては、通常呼出出力を発生するのに対し、試験呼出モードでは、試験呼出出力を発生することがわかる。
【００４３】
さらに、第２閾値を超えている入力信号３の場合は、モード切替出力を発生することがわかる。この出力で、通常呼出モードと試験呼出モードは交互に切替えられる。
【００４４】
ところで、制御部１４は、操作状態判別手段１７から通常呼出信号を受信すると、自身の代表灯５および個別表示灯６を点灯または点滅させるとともに、その通常呼出信号を通信Ｉ／Ｏ１５を介してナースコール親機１へ送信する。
【００４５】
ナースコール親機１は、通信Ｉ／Ｏ８を介して通常呼出信号を受信すると、制御部７において、信号を解読し、操作表示部９の個別表示灯を点灯または点滅させ、呼出音発生部１１から通常呼出音を鳴動させる。
【００４６】
試験呼出の場合も同様の手順で動作する。ただし、呼出音発生部１１から発生する呼出音は、メロディの種類を変えるなどして、通常呼出音と、試験呼出音とを明確に区別できるようにする。
【００４７】
なお、実施例では、呼出信号値が第１閾値と第２閾値との間にある場合は、通常呼出モードでは、通常呼出として、また、試験呼出モードにあるときは、試験呼出として判定される例を示したが、患者による呼出ボタンの操作状況を調査した上で、第１閾値として適切な値が見つかるならば、両モードにおいて、共通的に試験呼出とする、同一の判定基準を適用することも可能である。
【００４８】
さらにまた、ナースコール親機１に呼出モード切替スイッチを補完的に付加すれば、親機でも、呼出モードの切替えが可能となる。
【図面の簡単な説明】
【００４９】
【図１】本発明の１実施例におけるナースコールシステムの基本構成図。
【図２】本発明の１実施例におけるナースコールシステムの回路ブロック図。
【図３】本発明の１実施例における呼出動作の説明図。
【符号の説明】
【００５０】
１    ナースコール親機
２    個別廊下灯
３    病室子機
４    呼出ボタン
５    代表灯
６    個別表示灯
７    制御部
８    通信Ｉ／Ｏ
９    操作表示部
１０    通話制御部
１１    呼出音発生部
１２    記憶部
１３    外部Ｉ／Ｏ
１４    制御部
１５    通信Ｉ／Ｏ
１６    復旧ボタン
１７    操作状態判別手段
１８    呼出検出手段
１９    カウンタ／タイマ
２０    入力判別手段
２１    閾値記憶手段
２２    ＯＲ回路
２３    切替回路
２４    呼出モード設定手段
【図１】
2007274415.tif 000003
【図２】
2007274415.tif 000004
【図３】
2007274415.tif 000005